(57)【要約】  ワイヤレス通信ネットワークを通してプッシュ・ツー・トーク（ＰＴＴ）通信に高性能ディスパッチサービスを提供するシステムおよび方法である。ワイヤレスデバイスが電源投入されたときに、ワイヤレスデバイスはサーバに登録し、その後、待機状態の代わりにページング状態に移行する。ワイヤレスデバイスがＰＴＴ通信を送信する準備ができたとき、ワイレスデバイスは、サーバにメッセージを送り、確認がサーバから受信されたときに、送信状態に移行する。一度送信状態になると、ワイヤレスデバイスはＰＴＴ通信をサーバに送信する準備を行う。【選択図】      図８
2008535405.tif 000002
【特許請求の範囲】
【請求項１】
ワイヤレス通信ネットワークを通して高性能ディスパッチサービスを提供する方法において、
第１のワイヤレスデバイスがユーザ通信データをサーバに送信する準備ができたことを示している、ワイヤレスデバイスからの第１のメッセージをサーバにおいて受信するステップと、
ページング状態から送信状態に移行するように第１のワイヤレスデバイスに命令する第２のメッセージをサーバから第１のワイヤレスデバイスに送信するステップと、
第１のワイヤレスデバイスが第１のアクセスチャネルを通してユーザ通信データをサーバに送信する準備ができたことを示している、第１のワイヤレスデバイスからの第３のメッセージをサーバにおいて受信するステップと、
ユーザ通信データを第１のワイヤレスデバイスから受信するステップとを含み、
第１のワイヤレスデバイスは、第１のワイヤレスデバイスがサーバと通信することが可能であるページング状態と、第１のワイヤレスデバイスが第１のアクセスチャネルを通してユーザ通信データをサーバに送信することが可能である送信状態とを少なくとも有し、第１のワイヤレスデバイスは、第１のメッセージがサーバによって受信されたときにページング状態にある方法。
【請求項２】
ユーザ通信データの量を示している、第１のワイヤレスデバイスからの測定メッセージをサーバにおいて受信するステップと、
第２のアクセスチャネルを通してユーザ構成データを送信するようにワイヤレスデバイスに命令する構成メッセージをサーバから第１のワイヤレスデバイスに送信するステップとをさらに含む請求項１記載の方法。
【請求項３】
ワイヤレスデバイスが送信状態から専用チャネル状態に移行した後に、第１のワイヤレスデバイスからの再構成確認メッセージを受信するステップをさらに含む請求項２記載の方法。
【請求項４】
第１のメッセージは、ＣＥＬＬ＿ＵＰＤＡＴＥメッセージである請求項１記載の方法。
【請求項５】
第２のメッセージは、移動体情報確認メッセージである請求項１記載の方法。
【請求項６】
サーバと第１のワイヤレスデバイスとの間の通信は、ユニバーサル移動電気通信システム用のプロトコルにしたがう請求項１記載の方法。
【請求項７】
第３のメッセージは、ＣＥＬＬ＿ＵＰＤＡＴＥ＿ＣＯＮＦＩＲＭメッセージである請求項１記載の方法。
【請求項８】
第１のワイヤレスデバイスがユーザ通信データをサーバに送信することを終了した後に、ページング状態に移行するようにワイヤレスデバイスに命令する第４のメッセージを、サーバから第１のワイヤレスデバイスに送信するステップをさらに含む請求項１記載の方法。
【請求項９】
ページングメッセージをサーバから第２のワイヤレスデバイスに送信するステップをさらに含み、第２のワイヤレスデバイスはページング状態にある請求項１記載の方法。
【請求項１０】
第２のワイヤレスデバイスからの更新メッセージをサーバにおいて受信するステップをさらに含み、第２のワイヤレスデバイスが送信状態に移行する請求項９記載の方法。
【請求項１１】
ワイヤレス通信ネットワーク上でのプッシュ・ツー・トーク（ＰＴＴ）通信におけるデータパケットを遠隔サーバに効率的に送信する装置において、
ＰＴＴ通信の一部分であるデータパケットを遠隔サーバに送信するトランシーバと、
ユーザからのＰＴＴ通信を受信するユーザインターフェイスユニットと、
装置の内部状態を管理する制御装置とを具備し、
装置は、ワイヤレスデバイスが、アクティブであるが、データパケットを遠隔サーバに送信しないページング状態と、ワイヤレスが第１のアクセスチャネルを通してユーザ通信データをサーバに送信することが可能である送信状態とを少なくとも有し、
トランシーバは、装置がページング状態にあり、データパケットを送信する準備ができたときに、第１のメッセージを遠隔サーバに送信し、装置は、遠隔サーバからの第２のメッセージを受信した後に、ページング状態から送信状態に移行し、装置は、トランシーバが第１のアクセスチャネル上でデータパケットを遠隔サーバに送信した後に、送信状態からページング状態に移行する装置。
【請求項１２】
送信機は測定メッセージを遠隔サーバにさらに送信し、送信機は、遠隔サーバからの構成メッセージを受信した後に、データパケットを第２のアクセスチャネルから送信する請求項１１記載の装置。
【請求項１３】
ワイヤレス通信ネットワーク上でのプッシュ・ツー・トーク（ＰＴＴ）通信におけるデータパケットを遠隔サーバに効率的に送信する装置において、
ＰＴＴ通信の一部分であるデータパケットを遠隔サーバに送信する手段と、
ユーザからのＰＴＴ通信を受信する手段と、
装置の内部状態を管理する手段とを具備し、
装置は、ワイヤレスデバイスが、アクティブであるが、データパケットを遠隔サーバに送信しないページング状態と、ワイヤレスが第１のアクセスチャネルを通してユーザ通信データをサーバに送信することが可能である送信状態とを少なくとも有し、
送信する手段は、装置がページング状態にあり、データパケットを送信する準備ができたときに、第１のメッセージを遠隔サーバに送信し、装置は、遠隔サーバからの第２のメッセージを受信した後に、ページング状態から送信状態に移行し、装置は、送信する手段が第１のアクセスチャネル上でデータパケットを遠隔サーバに送信した後に、送信状態からページング状態に移行する装置。
【請求項１４】
データパケットを送信する手段は測定メッセージを遠隔サーバにさらに送信し、データパケットを送信する手段は、遠隔サーバからの構成メッセージを受信した後に、データパケットを第２のアクセスチャネルから送信する請求項１３記載の装置。
【請求項１５】
ワイヤレス通信ネットワークを通して高性能ディスパッチサービスを提供するためのコンピュータプログラムを記憶しているコンピュータ読み取り可能媒体において、
コンピュータプログラムはコンピュータ命令を含み、
コンピュータ命令は、コンピュータによって実行されたときに、
第１のワイヤレスデバイスがユーザ通信データをサーバに送信する準備ができたことを示している、ワイヤレスデバイスからの第１のメッセージをサーバにおいて受信するステップと、
ページング状態から送信状態に移行するように第１のワイヤレスデバイスに命令する第２のメッセージをサーバから第１のワイヤレスデバイスに送信するステップと、
第１のワイヤレスデバイスが第１のアクセスチャネルを通してユーザ通信データをサーバに送信する準備ができたことを示している、第１のワイヤレスデバイスからの第３のメッセージをサーバにおいて受信するステップと、
第１のワイヤレスデバイスからのユーザ通信データを受信するステップとを実行し、
第１のワイヤレスデバイスは、第１のワイヤレスデバイスがサーバと通信することが可能であるページング状態と、第１のワイヤレスデバイスが第１のアクセスチャネルを通してユーザ通信データをサーバに送信することが可能である送信状態とを少なくとも有し、第１のワイヤレスデバイスは、第１のメッセージがサーバによって受信されたときにページング状態にあるコンピュータ読み取り可能媒体。
【請求項１６】
実行されたときに、
ユーザ通信データの量を示している、ワイヤレスデバイスからの測定メッセージをサーバにおいて受信するステップと、
第２のアクセスチャネルを通してユーザ構成データを送信するようにワイヤレスデバイスに命令する構成メッセージをサーバからワイヤレスデバイスに送信するステップとをさらに実行する請求項１５記載のコンピュータプログラム。
【請求項１７】
ワイヤレスデバイスが送信状態から専用チャネル状態に移行した後に、第１のワイヤレスデバイスからの再構成確認メッセージを受信するステップをさらに含む請求項１５記載の方法。
【請求項１８】
第１のワイヤレスデバイスがユーザ通信データをサーバに送信することを終了した後に、ページング状態に移行するようにワイヤレスデバイスに命令する第４のメッセージを、サーバから第１のワイヤレスデバイスに送信するステップをさらに含む請求項１５記載の方法。
【請求項１９】
ページングメッセージをサーバから第２のワイヤレスデバイスに送信するステップをさらに含み、第２のワイヤレスデバイスはページング状態にある請求項１５記載の方法。
【請求項２０】
第２のワイヤレスデバイスからの更新メッセージをサーバにおいて受信するステップをさらに含み、第２のワイヤレスデバイスが送信状態に移行する請求項１９記載の方法。
【請求項２１】
ワイヤレス通信ネットワークを通して高性能ディスパッチサービスを提供するシステムにおいて、
ワイヤレス通信ネットワークと通信し、複数のメッセージをユーザデバイスに選択的に送信するサーバと、
ワイヤレス通信ネットワークを通してサーバと通信することが可能であり、ユーザデバイスがサーバと通信することが可能であるページング状態と、ユーザデバイスが第１のアクセスチャネルを通してユーザ通信データをサーバに送信することが可能である送信状態とを少なくとも有するユーザデバイスとを具備し、
ユーザデバイスは、
ユーザ通信をサーバに送信する準備ができたことをサーバに通知する第１のメッセージをページング状態においてサーバに送信することと、
サーバからの第２のメッセージを受信して、送信状態に移行することと、
第１のアクセスチャネルを通してユーザ通信をサーバに送信することとが可能であるシステム。
【請求項２２】
ユーザデバイスは、
測定メッセージをサーバに送信することと、
サーバからの構成メッセージを受信することと、
第２のアクセスチャネルを通してユーザ通信をサーバに送信することとがさらに可能である請求項２１記載のシステム。
【請求項２３】
ワイヤレス通信ネットワークを通して高性能ディスパッチサービスを提供する方法において、
第１のワイヤレスデバイスがユーザ通信データをサーバに送信する準備ができたことを示している、ワイヤレスデバイスからの第１のメッセージをサーバにおいて受信するステップと、
ページング状態から送信状態に移行するように第１のワイヤレスデバイスに命令する第２のメッセージをサーバから第１のワイヤレスデバイスに送信するステップと、
第１のワイヤレスデバイスが第１のアクセスチャネル通してユーザ通信データをサーバに送信する準備ができたことを示している、第１のワイヤレスデバイスからの第３のメッセージをサーバにおいて受信するステップと、
第１のワイヤレスデバイスからのユーザ通信データを受信するステップとを含み、
第１のワイヤレスデバイスは、第１のワイヤレスデバイスがサーバと通信することが可能であるページング状態と、第１のワイヤレスデバイスが第１のアクセスチャネルを通してユーザ通信データをサーバに送信することが可能である送信状態とを少なくとも有し、第１のワイヤレスデバイスは、第１のメッセージがサーバによって受信されたときにページング状態にある方法。
【発明の詳細な説明】
【発明の分野】
【０００１】
本発明は、一般的に、ワイヤレス通信に関し、さらに詳細に述べると、ワイヤレスネットワーク上での複数の通信デバイス間の通信における効率的なディスパッチサービスのシステムおよび方法に関する。
【関連技術の説明】
【０００２】
技術進歩によって、移動体電話機またはワイヤレス通信デバイスは高価なものではなくなり、結果的に広く普及するようになった。ワイヤレス通信デバイスが、より高い処理能力および記憶装置を持つように製造されるにしたがって、ワイヤレス電話機は、さらに汎用性が高くなり、また、２つのハンドセットまたは個人のグループのハンドセット間のダイレクト無線通信能力を備える多くの機能が組み込まれる。このダイレクト無線通信能力は、一般的に、プッシュ・ツー・トーク（ＰＴＴ）すなわち「ウォーキートーキー」機能として知られており、この機能によって、１つのハンドセットを持つユーザは、目的地の電話番号をダイヤルしなくても、予め規定された組のグループのメンバのデバイスと通信することができる。
【０００３】
ＰＴＴシステムの１つのバージョンでは、ハンドセットのようなワイヤレス通信デバイスは、遠隔ＰＴＴサーバとの上り方向および下り方向の双方の通信に対して１つの単一周波数を使用しているが、標準のワイヤレス通信におけるワイヤレス電話機は、ＰＴＴサーバと通信するために、発信通信に対して１つ、そして着信通信に対して１つ、すなわち２つの周波数を使用している。ＰＴＴシステムでは、話しする人物が、会話している間にＰＴＴボタンを押し、そして、会話が終了したときにＰＴＴボタンを離すことが必要である。グループ中のあらゆる受話者は、受話者のＰＴＴシステムのボタンを押すと応答することができる。このように、信号が伝わる方向をシステムは決定する。一般的な構成では、ユーザが、ＰＴＴシステムを使用して、受信者または受信者のグループに対して通話を行うときに、ユーザのハンドセットは、送信する準備ができたことをサーバに通知することによって、最初に、遠隔サーバに対して要求を行う。遠隔ＰＴＴサーバは、通信チャネルを使用している他の者がいないことを確認して、そのチャネルが利用可能であると、チャネルをユーザに割り当てる。ユーザのメッセージがサーバによって受信されると、サーバは、各受信者およびすべての受信者に対するメッセージを送る。メッセージがすべての受信者に送信された後、他の者たちによる使用のために、チャネルはリリースされ、準備される。
【０００４】
先に記述したプロセス中、一般的に、ユーザがユーザ自身のハンドセットのＰＴＴボタンを押して、ワイヤレスデバイスに対するチャネルを許可する応答をサーバがディスパッチするまでの時間の間に短い遅延がある。遅延は、ワイヤレスデバイスの内部機能、およびワイヤレスデバイスとＰＴＴサーバとの間の対話に起因する。会話している人々が瞬間的な通信を行っていると、短いとは言え、遅延は不快なものになる可能性がある。
【０００５】
したがって、ワイヤレスデバイスに対する応答をサーバが迅速にディスパッチして、ワイヤレスデバイスが迅速にＰＴＴ通信を確立することを可能にする装置および方法を持つことが望ましい。このような装置および方法に本発明は主として向けられている。
【発明の概要】
【０００６】
本発明にしたがったシステムおよび方法によって、ワイヤレスデバイスとサーバとの間のメッセージの効率的なディスパッチが可能になる。ワイヤレスデバイスは、待機状態の代わりに、ページング状態のままであることによって、サーバとの効率的な通信が可能なる。
【０００７】
１つの実施形態では、ワイヤレス通信ネットワークを通して高性能ディスパッチサービスを提供する方法が提供される。方法は、第１のワイヤレスデバイスがユーザ通信データをサーバに送信する準備ができたことを示している、ワイヤレスデバイスからの第１のメッセージをサーバにおいて受信することを含む。第１のワイヤレスデバイスは、第１のワイヤレスデバイスがサーバと通信することが可能であるページング状態と、第１のワイヤレスデバイスが第１のアクセスチャネルを通してユーザ通信データをサーバに送信することが可能である送信状態とを少なくとも有している。第１のワイヤレスデバイスは、第１のメッセージがサーバによって受信されたときにページング状態にある。さらに、方法は、ページング状態から送信状態に移行するように第１のワイヤレスデバイスに命令する第２のメッセージをサーバから第１のワイヤレスデバイスに送信することと、第１のワイヤレスデバイスが第１のアクセスチャネルを通してユーザ通信データをサーバに送信する準備ができたことを示している、第１のワイヤレスデバイスからの第３のメッセージをサーバにおいて受信することと、ユーザ通信データを第１のワイヤレスデバイスから受信することとを含む。
【０００８】
別の実施形態では、ワイヤレス通信ネットワーク上でのプッシュ・ツー・トーク（ＰＴＴ）通信におけるデータパケットを遠隔サーバに効率的に送信する装置が提供される。装置は、トランシーバと、ユーザインターフェイスと、制御装置とを具備する。トランシーバは、ＰＴＴ通信の一部分であるデータパケットを遠隔サーバに送信し、ユーザインターフェイスユニットは、ユーザからのＰＴＴ通信を受信する。制御装置は、装置の内部状態を管理する。装置は、ワイヤレスデバイスが、アクティブであるが、データパケットを遠隔サーバに送信しないページング状態と、ワイヤレスが第１のアクセスチャネルを通してユーザ通信データをサーバに送信することが可能である送信状態とを少なくとも有する。トランシーバは、装置がページング状態にあり、データパケットを送信する準備ができたときに、第１のメッセージを遠隔サーバに送信する。装置は、遠隔サーバからの第２のメッセージを受信した後に、ページング状態から送信状態に移行し、装置は、トランシーバが第１のアクセスチャネル上でデータパケットを遠隔サーバに送信した後に、送信状態からページング状態に移行する。
【０００９】
さらに別の実施形態では、ワイヤレス通信ネットワークを通して高性能ディスパッチサービスを提供するシステムが提供される。システムは、サーバと、ユーザデバイスとを具備する。サーバは、ワイヤレス通信ネットワークと通信し、複数のメッセージをユーザデバイスに選択的に送信する。ユーザデバイスは、ワイヤレス通信ネットワークを通してサーバと通信することが可能である。ユーザデバイスは、サーバと通信することが可能であるページング状態と、ユーザデバイスが第１のアクセスチャネルを通してユーザ通信データをサーバに送信することが可能である送信状態とを少なくとも有する。ユーザデバイスは、ユーザ通信をサーバに送信する準備ができたことをサーバに通知する第１のメッセージをページング状態においてサーバに送信することと、サーバからの第２のメッセージを受信して、送信状態に移行することと、第１のアクセスチャネルを通してユーザ通信をサーバに送信することとが可能である。
【００１０】
したがって、ワイヤレス通信デバイスが、ＰＴＴ通信中に、データパケットをサーバに効率的に送信することを可能にするので、本発明のシステムおよび方法は効果的である。したがって、ＰＴＴ通信の発信におけるあらゆる遅延は最小化される。本発明の他の効果および特徴は、図面の簡単な説明、本発明の詳細な説明および特許請求の範囲に記載されている以後のものを見た後に明らかになるであろう。
【発明の詳細な説明】
【００１１】
この説明では、「通信デバイス」、「ワイヤレスデバイス」、「ワイヤレス通信デバイス」、「ＰＴＴ通信デバイス」、「ハンドヘルドデバイス」、および「ハンドセット」というこれらの言葉を同義的に用いており、また、「チャネル」および「グループ」という言葉も同義的に用いている。ここで用いるような「アプリケーション」という言葉には、実行可能および実行不可能なソフトウェアファイル、生データ、集積データ、パッチおよび他のコードセグメントを含めていることを意図している。さらに、同じ番号はいくつかの図面を通して同じ構成要素を参照し、説明において特定しない限り、冠詞「ａ」および「ｔｈｅ」は複数形の参照を含む。
【００１２】
概略では、本発明にしたがったシステムおよび方法は、ワイヤレス通信ネットワークを通して、プッシュ・ツー・トーク（ＰＴＴ）通信に高性能ディスパッチサービスを提供する。ワイヤレスデバイスが電源投入されたとき、ワイヤレスデバイスはサーバに登録し、待機状態の代わりにページング状態に移行する。ワイヤレスデバイスがＰＴＴ通信を送信する準備ができたとき、ワイヤレスデバイスは、メッセージをサーバに送信し、その後、確認がサーバから受信されたときに、送信状態に移行する。一度送信状態になると、ワイヤレスデバイスはＰＴＴ通信をサーバに送信する準備を行う。図１は、状態が移行するワイヤレスデバイスを備えている通信ネットワーク１００を図示している。通信ネットワーク１００は、１つ以上の通信タワー１０６を備えており、各通信タワー１０６は、基地局（ＢＳ）１１０に接続されており、通信デバイス１０２を持つユーザを受け持っている。通信デバイス１０２は、セルラ電話機、ページャ、パーソナルデジタルアシスタント（ＰＤＡ）、ラップトップコンピュータ、あるいはプッシュ・ツー・トーク（ＰＴＴ）通信をサポートする他のハンドヘルドデバイス、静的デバイス、またはポータブル通信デバイスであってもよい。各ユーザによって入力されるコマンドおよびデータは、デジタルデータとして通信タワー１０６に送信される。通信デバイス１０２を使用しているユーザと通信タワー１０６との間の通信は、コード分割多元接続（ＣＤＭＡ）、時間分割多元接続（ＴＤＭＡ）、周波数分割多元接続（ＦＤＭＡ）、グローバルシステムフォーモバイル通信（ＧＳＭ）、あるいはワイヤレス通信ネットワークまたはデータ通信ネットワークにおいて使用される他のプロトコルのような異なる技術に基づいているものであってもよい。
【００１３】
ＰＴＴ通信は、通信ネットワーク１００を通してデータパケットにより送信される。ワイヤレス通信デバイス１０２は、割り当てられた通信チャネル上でオーディオデータパケットを送信および受信する。制御データは、データチャネルを通して送信および受信される。各デバイスからのデータパケットは、通信タワー１０６から基地局（ＢＳ）１１０に送られて、移動スイッチングセンター（ＭＳＣ）１１４に転送される。この移動スイッチングセンター（ＭＳＣ）１１４は、公衆電話交換ネットワーク（ＰＳＴＮ）１１８およびインターネット１２０に接続されていてもよい。ＭＳＣ１１４は、通信ネットワーク１００におけるＰＴＴ機能をサポートするサーバ１１６に接続されていてもよい。オプション的に、サーバ１１６は、ＭＳＣ１１４の一部分であってもよい。そのデバイスから要求されたときに、サーバ１１６は、特定のワイヤレスデバイスに対するＰＴＴ通信の送信を抑制してもよい。データパケットは、サーバ１１６によって受信ワイヤレスデバイス１０２に転送され、そして、受信ワイヤレスデバイス１０２において、オーディオストリームはデータパケット中のデータに基づいて構成される。（示していない）代替実施形態では、ＭＳＣ１１４は、データ専用ネットワークには不要であってもよい。データパケットは、処理のために、ＢＳ１１０によってパケットデータサービスノードおよび／または他のサーバに送られる。リアルタイム伝送プロトコル（ＲＴＰ）、ＴＣＰ／ＩＰ、あるいは他の適切なプロトコルのような予め規定されたプロトコルにしたがって、データパケットは、ワイヤレスデバイス１０２とＢＳ１０６との間で送信される。ワイヤレスデバイス１０２は、電源投入してサーバ１１６に登録した後、ページング状態に移行し、ＰＴＴ通信機能をユーザがアクティブ化することを待つ。
【００１４】
図２は、ワイヤレスハンドセット１０２のブロック図２００を図示している。ワイヤレスハンドセット１０２は、制御装置２０２と、記憶ユニット２０４と、表示ユニット２０６と、ユーザインターフェイスユニット２１２と、プッシュ・ツー・トークアクティブ化ユニット２１０と、トランシーバ２１４と、アンテナ２１６とを備えている。制御装置２０２は、ハードウェア、ソフトウェア、またはこれらの組み合わせであってもよい。制御装置２０２は、ワイヤレスハンドセット１０２の内部状態を制御して管理することが可能である。表示ユニット２０６は、ＰＴＴ通信の着信に関するグラフィカル画像または情報をユーザに表示してもよい。ユーザインターフェイスユニット２１２は、スピーカー、マイクロフォン、表示ユニット２０６、キーパッドおよびユーザとの通信に使用されるプッシュ・ツー・トークアクティブ化ユニット２１０のようなハードウェアを制御する。トランシーバ２１４は、無線信号を通信タワー１０６に送信して、この無線信号を通信タワー１０６から受信する。この無線信号は、コマンドシグナリングとデータパケットとを含んでいる。さらに、制御装置２０２は、ユーザおよび通信ネットワーク１００から受信したコマンドおよびデータを解釈する。記憶ユニット２０４はＰＴＴ通信についての情報とワイヤレスハンドセット１０２の内部状態についての情報を記憶する。
【００１５】
図３は、ＰＴＴ通信プロセス中の（グループ通信サーバとしても知られている）サーバ１１６とワイヤレスデバイス１０２、３０６、３０８との間の命令を表している図３００である。開始ワイヤレスデバイス１０２とサーバ１１６との間の通信は、ＰＴＴボタンをユーザがアクティブ化するまで行われない。一般的に、ＰＴＴ機能をユーザがアクティブ化することによって、選択されたＰＴＴグループのメンバとＰＴＴ通信を開始してもよい。ページング状態にあるワイヤレスデバイス１０２は、ＰＴＴ通信を送信する準備ができたことを示しているメッセージを、制御チャネルを通してサーバ１１６に送る。ワイヤレスデバイス１０２からのメッセージを受信したとき、サーバ１１６は、確認メッセージをワイヤレスデバイス１０２に送る。その後、ワイヤレスデバイス１０２が、肯定応答メッセージをサーバ１１６に送ると、新しい送信状態に移行し、送信状態において、ワイヤレスデバイス１０２がデータを送信することが可能である。サーバ１１６によって、開始ワイヤレスデバイス１０２に対するＰＴＴ通信チャネルが許可されると、開始ワイヤレスデバイス１０２は、選択されたＰＴＴグループ３１４に対してサーバ１１６を通してオーディオ通信を送信することができる。ユーザオーディオ通信が受信されたときに、開始ユーザデバイス１０２がオーディオ通信を送ることを望むＰＴＴ通信グループのメンバ３０６ないし３０８をサーバ１１６が識別する。その後、サーバ１１６が、ＰＴＴ通信グループの各メンバ３０６ないし３０８にオーディオ通信を転送する。ＰＴＴ通信では、ビデオおよび／またはマルチメディアデータのようなオーディオ通信と異なるデータも送ることが可能であることに留意すべきである。
【００１６】
ワイヤレスデバイス１０２には、複数の内部状態があり、ワイヤレスデバイス１０２が電源投入しているときに、複数の内部状態に移行する。図４は、ワイヤレスデバイス１０２の先行技術状態の移行図４００の図示である。電源投入された後、ワイヤレスデバイス１０２がユーザの動作をまったく取り扱っていないとき、ワイヤレスデバイス１０２は、通常、待機モード４１２にある。待機モードでは、ワイヤレスデバイス１０２は、ユニバーサル地上無線アクセスネットワーク（ＵＴＲＡＮ）セルまたはグローバルシステムフォーモバイル通信（ＧＳＭ）セルのようなネットワークセル上にとどまっていてもよく、また、ページングチャネル上でネットワーク（サーバ）からのメッセージを受信してもよい。
【００１７】
ワイヤレスデバイス１０２に対してＰＴＴ通信を配信することをサーバ１１６が望む場合、ワイヤレス割り当てページングサイクル中に、最初に、サーバ１１６はワイヤレスデバイス１０２をページングする必要がある。ワイヤレスデバイス１０２は、ランダムアクセスチャネル上（ＲＡＣＨ）上で送信する無線リソース制御（ＲＲＣ）接続を要求することによってページに応答する。ワイヤレスデバイス１０２がＰＴＴ通信をセットアップすることを望む場合、ワイヤレスデバイス１０２は、ＲＡＣＨ上でＲＲＣ接続を送信することによって、自律的にＲＲＣ接続を要求する。ＲＲＣ接続がネットワークと確立された後、ワイヤレスデバイス１０２は、ＵＴＲＡＮ接続モード４０２に移行する。ＵＴＲＡＮ接続モードでは、シグナリングメッセージが、ネットワークと交換される。他の接続信号が受信された場合、ワイヤレスデバイス１０２は、（示していない）ＧＳＭ接続モードまたは汎用パケット無線サービス（ＧＰＲＳ）パケット伝送モードのような他のモードにも移行してもよい。
【００１８】
ＲＲＣ接続が確立されたときに、または専用物理チャネルがＣＥＬＬ＿ＦＡＣＨ４１０から確立されたときに、ワイヤレスデバイス１０２は待機モード４１２からＣＥＬＬ＿ＤＣＨ４０８に入ってもよい。ワイヤレスデバイス１０２は、ＲＲＣ接続が確立されたときに、待機モード４１２からＣＥＬＬ＿ＦＡＣＨ状態４１０に入ってもよく、または専用物理チャネルをリリースするようにネットワークによって命令されたときにＣＥＬＬ＿ＤＣＨ状態からＣＥＬＬ＿ＦＡＣＨ状態４１０に入ってもよい。また、ワイヤレスデバイス１０２がこれらの状態からのシグナリングまたはユーザデータを送信する必要があるとき、ワイヤレスデバイス１０２は、ＵＲＡ＿ＰＣＨ状態４０４またはＣＥＬＬ＿ＰＣＨ状態４０８からＣＥＬＬ＿ＦＡＣＨ４１０に入ってもよい。ネットワークがワイヤレスデバイス１０２から活動の欠如を検出したときに、ワイヤレスデバイス１０２は、ＣＥＬＬ＿ＤＣＨ状態４０８またはＣＥＬＬ＿ＦＡＣＨ状態４１０のいずれからＣＥＬＬ＿ＰＣＨ状態４０６に入ってもよい。ＣＥＬＬ＿ＰＣＨ状態４０６にある間、ワイヤレスデバイス１０２はページングチャネルを監視することができる。ＵＲＡ＿ＰＣＨ状態４０４は、ネットワーク関連情報を更新する手順を除いて、ＣＥＬＬ＿ＰＣＨ状態４０６に類似している。
【００１９】
先行技術では、図１および図３に図示した通信ネットワークにおけるワイヤレスデバイス１０２は、電源投入してサーバ１１６に登録した後に、通常、待機モード４１２に入る。そして、待機モードにおいて、ワイヤレスデバイス１０２は、ページングチャネル上でサーバ１１６からのメッセージを受信するが、サーバ１１６に返信しない。図５に図示したシグナリング５０７は、通常、ワイヤレスデバイス１０２が通話またはＰＴＴ通信のセットアップを望む場合に行われる。ＰＴＴ通信を行うことをユーザが望むことが検出された後、ＣＥＬＬ＿ＩＤＬＥ状態にあるワイヤレスデバイス１０２は接続要求メッセージ５０８をサーバ１１６に送り、ＲＲＣ接続を要求する。サーバ１１６は、接続セットアップメッセージ５１０をワイヤレスデバイス１０２に送ることによって応答する。接続セットアップメッセージ５１０が受信された後、ワイヤレスデバイス１０２は、ＲＲＣ接続を確立してＣＥＬＬ＿ＦＡＣＨ状態４１０に移行すると、完了メッセージ５１２をサーバ１１６に返信する。続けて、ワイヤレスデバイス１０２は、測定報告メッセージ５１４をサーバ１１６に送る。一般的に、測定報告は、ワイヤレスデバイス１０２からサーバ１１６に伝送するデータのサイズに関するものである。サーバ１１６がワイヤレスデバイス１０２から活動の欠如を検出した場合、サーバ１１６が無線ベアラリリースメッセージ５１６をワイヤレスデバイス１０２に送ると、ワイヤレスデバイス１０２は、ＣＥＬＬ＿ＰＣＨ状態４０６に移行し、完了メッセージ５１８を返信する。データが利用可能になったとき、ワイヤレスデバイス１０２がサーバ１１６に通知すると、ワイヤレスデバイス１０２は（示していない）サーバ１１６にデータを伝送することができる状態に移る。
【００２０】
一般的に、図５に図示した状態移行およびシグナリングは、目に見えて分かる遅延をユーザに引き起こし、リソースのディスパッチを非効率的なものにする。本発明の方法にしたがうと、遅延は無くすことが可能であり、リソースのディスパッチを効率的なものにすることができる。
【００２１】
図６は、本発明にしたがった、リソースを効率的にディスパッチするための状態移行およびシグナリングを図示している。図１に図示した通信ネットワークにおけるワイヤレスデバイス１０２が、電源投入してサーバ１１６に登録した後、待機状態の代わりに、ページング状態、すなわち、ＣＥＬＬ＿ＰＣＨ状態６０８に入る。ＣＥＬＬ＿ＰＣＨ状態６０８では、ワイヤレスデバイス１０２がページングチャネルを監視することによって、迅速な応答をサーバ１１６に提供することができる。
【００２２】
ワイヤレスデバイス１０２が、サーバ１１６に送るデータを持っているとき、ワイヤレスデバイス１０２はセル更新メッセージ６１０をサーバ１１６に送り、そして、サーバ１０６は、確認メッセージ６１２をワイヤレスデバイス１０２に返信することによって応答する。確認メッセージ６１２が受信されたときに、確認メッセージ６１２の受信を確認する移動体情報メッセージ６１４をワイヤレスデバイス１２０がサーバ１１６に送ると、ＲＡＣＨ上でデータ送信可能であるＣＥＬＬ＿ＦＡＣＨ状態４１０に移行する。この状態において、ワイヤレスデバイス１０２がサーバ１１６にデータを送信することができる。しかしながら、ＲＡＣＨに対する構成されたしきい値よりデータの量が大きい場合、ワイヤレスデバイス１０２は異なった状態に移る必要があるかもしれない。ＲＡＣＨに対する構成されたしきい値よりデータの量が大きい場合、ワイヤレスデバイス１０２が、測定報告メッセージ６１６をサーバ１１６に送る。測定報告メッセージ６１６が受信された後、サーバ１１６は、リバースＤＣＨ（ＲＤＣＨ）としても知られている専用チャネル（ＤＣＨ）をワイヤレスデバイス１０２に割り当てることができる。サーバ１１６は、無線ベアラ再構成メッセージ６１８をワイヤレスデバイス１０２に送る。再構成メッセージ６１８を受信した後に、ワイヤレスデバイス１０２は、ＣＥＬＬ＿ＤＣＨ状態４０８に移行し、確認メッセージ６２０をサーバ１１６に返信する。この時、ワイヤレスデバイス１０２は、このＤＣＨ上でのデータの送信を開始することができる。データが送信された後、ワイヤレスデバイス１０２は、ＣＥＬＬ＿ＰＣＨ状態に戻り、ページングチャネルを監視し続ける。
【００２３】
サーバ１１６が、ページングチャネル上ですべてのターゲットワイヤレスデバイスにページングメッセージ６２４を送ったとき、ターゲットワイヤレスデバイスは、ＣＥＬＬ＿ＰＣＨ状態４０６でありながら非アクティブであり、ページングメッセージ６２４を受信した後に、ＣＥＬＬ＿ＦＡＣＨ状態４１０に移行する。ターゲットワイヤレスデバイスは、セル更新メッセージ６２６をサーバ１１６に返信し、そして、サーバ１１６が確認メッセージ６２８をターゲットワイヤレスデバイスに送る。どのリソースが必要とされているかをサーバ１１６はすでに把握しているので、サーバ１１６は確認メッセージ６２８によってリソースを割り当てる。その後、ターゲットワイヤレスデバイスは、ＣＥＬＬ＿ＤＣＨ状態４０８に移行し、確認完了メッセージ６３０をサーバ１１６に返信する。ターゲットワイヤレスデバイスがＤＣＨ上でデータを受信するように再構成された後、サーバ１１６は、そのデータのＤＣＨ上での送信を開始する。データ送信が完了したとき、ターゲットワイヤレスデバイスは、ＣＥＬＬ＿ＰＣＨ状態４０６に戻る。
【００２４】
図７は、送信ワイヤレスデバイスプロセスを図示しているフローチャート７００である。ステップ７０２において、ワイヤレスデバイス１０２は、電源投入してサーバ１１６に登録する。サーバ１１６に登録した後、ステップ７０４において、ワイヤレスデバイス１０２はページング状態に移行し、ページング状態では、ワイヤレスデバイス１０２がページングチャネルを監視する。ＰＴＴ機能をユーザがアクティブ化したことをワイヤレスデバイス１０２が検出したときに、ステップ７０８において、データをサーバ１１６に送信する準備ができたことをサーバ１１６に通知する更新メッセージをワイヤレスデバイス１０２がサーバ１１６に送る。ステップ７１０において、サーバ１１６からの確認メッセージを受信した後、ステップ７１２において、ワイヤレスデバイス１０２は送信状態に移行する。割り当てられたチャネルに対してデータの容量がしきい値を超えていない場合、ステップ７２４において、ワイヤレスデバイス１０２は、割り当てられたチャネル上でのデータの送信を開始する。データが送信された後、ステップ７０４において、ワイヤレスデバイス１０２はページング状態に戻る。
【００２５】
割り当てられたチャネルに対してデータの容量がしきい値を超えている場合、ステップ７１６において、ワイヤレスデバイス１０２は、測定報告メッセージをサーバ１１６に送り、サーバ１１６からの命令を待つ。ステップ７１８において、構成メッセージが受信された後、ステップ７２０において、ワイヤレスデバイス１０２は、新しいチャネルに再構成し、ステップ７２２において、確認メッセージをサーバ１１６に送り、ステップ７２４において、新しいチャネル上でのデータの送信を開始する。先に述べたように、データが送信された後、ワイヤレスデバイス１０２はページング状態に戻る。
【００２６】
図８は、本発明のサーバプロセス８００である。ワイヤレスデバイス１０２からのメッセージをサーバ１１６が受信したときに、ステップ８０２において、このメッセージが電源投入手順中に送られた登録メッセージであるか否かをサーバ１１６がチェックする。このメッセージが登録メッセージであった場合、サーバ１１６は、ワイヤレスデバイス１０２を登録するためにステップ８０４に進む。ステップ８０６において、このメッセージが、ワイヤレスデバイスがデータをアップロードする準備ができたことを示しているセル更新メッセージである場合、ステップ８０８において、サーバ１１６は、チャネルを予約し、確認メッセージをワイヤレスデバイスに送るプロセスを実行する。ステップ８１０において、メッセージが移動体情報メッセージである場合、ステップ８１２において、サーバ１１６は、ワイヤレスデバイス１０２からのデータを受信する準備をサーバ１１６自体で行う。ステップ８１４において、メッセージが、異なるチャネルの必要性を示している測定報告である場合、ステップ８１６において、サーバ１１６は、新しいチャネルを割り当て、新しいチャネルを使用するようにワイヤレスデバイス１０２に命令を送る。ステップ８１８において、このメッセージが再割り当てを確認するメッセージである場合、ステップ８２０において、サーバ１１６は、新しいチャネル上でデータを受信する準備をサーバ１１６自体で行う。先に記述したメッセージに加えて、さらに、ステップ８２２において、サーバ１１６は他のメッセージに対してもチェックし、適切なプロセスを行う。
【００２７】
図９は、本発明にしたがったターゲットワイヤレスデバイスのプロセス９００を図示している。ステップ９０２において、ターゲットワイヤレスデバイスが電源投入をして登録手順を実行する。サーバ１１６に登録した後、ステップ９０４において、ターゲットワイヤレスデバイスがページング状態に移行し、ステップ９０６において、ページングチャネルを監視する。ページングメッセージが受信された場合、ステップ９０８において、ターゲットワイヤレスデバイスが、確認メッセージをサーバ１１６送り、データを受信するプロセスを開始する。ステップ９１０において、受信されたメッセージが再構成メッセージである場合、すなわち再構成命令を含んでいる場合、ステップ９１２において、ターゲットワイヤレスデバイスが、自身を指定チャネルに移すことによって、ターゲットワイヤレスデバイス自体を再構成し、ステップ９１４において、確認メッセージをサーバ１１６に返信し、受信したデータに対してプロセスを開始する。メッセージが別のタイプのメッセージである場合、ステップ９１６において、ターゲットワイヤレスデバイスは、さらなるプロセスを実行し、さらなるプロセスをとる。
【００２８】
ワイヤレスサービスプロバイダのコンピュータデバイス上またはワイヤレス通信デバイス上で実行可能な方法を考慮すると、方法は、コンピュータ読取可能な媒体に常駐しているプログラムによって行われる。プログラムは、コンピュータプラットフォームを持つサーバまたは他のコンピュータデバイスに対して方法のステップを行うように指示する。コンピュータ読取可能な媒体はサーバのメモリであってもよく、または接続可能なデータベース中に存在していてもよい。さらに、磁気ディスクまたはテープ、光ディスク、ハードディスク、フラッシュメモリ、あるいは技術的に知られている他の記憶媒体のような、ワイヤレス通信デバイスコンピュータプラットフォーム上にロード可能な二次記憶媒体中に、コンピュータ読取可能な媒体は存在することができる。
【００２９】
図６ないし図９の状況において、図示したステップは、何らかの特定のアクションの順番を必要ともしていないし、また暗にも示していない。アクションは、順番に、または並列に実行されてもよい。方法は、例えば、ワイヤレス通信デバイスまたはサーバのようなワイヤレスネットワークの一部分を動作させることによって、機械読取可能な命令のシーケンスを実行するように実現してもよい。命令は、さまざまなタイプの信号担持またはデータ記憶の一次、二次または三次の媒体に存在してもよい。媒体は、例えば、ワイヤレスネットワークのコンポーネントによりアクセス可能な（示されていない）ＲＡＭ、または、そのコンポーネント内に存在する（示されていない）ＲＡＭを含んでいてもよい。ＲＡＭ、ディスケット（登録商標）、または他の二次記憶媒体中に含まれているか否かにより、ＤＡＳＤ記憶装置（例えば、従来の「ハードドライブ」またはＲＡＩＤアレイ）、磁気テープ、電子リードオンリーメモリ（例えば、ＲＯＭ、ＥＰＲＯＭまたはＥＥＰＲＯＭ）、フラッシュメモリカード、光記憶デバイス（例えば、ＣＤ−ＲＯＭ、ＷＯＲＭ、ＤＶＤ、デジタル光テープ）、ペーパー「パンチ」カード、あるいはデジタルおよびアナログ送信媒体を含む他の適切なデータ記憶媒体のような、さまざまな機械読取可能なデータ記憶媒体上に命令を記憶させてもよい。
【００３０】
これらの好ましい実施形態に関連して、本発明を詳しく示し、説明しているが、特許請求の範囲に記載されている本発明の精神および範囲を逸脱することなく、形態におけるさまざまな変更および細部にわたる変更ができることを、当業者は理解するであろう。例えば、上記の説明はユニバーサル移動電気通信システム（ＵＭＴＳ）で共通に使用されている用語を用いており、他のタイプのシステムおよびプロトコル、ならびに同様のものをサポートするために、装置、システムおよび方法を容易に修正できることを理解すべきである。さらに、本発明の構成要素は単数形で記述され、特許請求の範囲に記載されているが、単数形に対する限定が明示的に示されない限り、複数形を意図している。
【図面の簡単な説明】
【００３１】
【図１】図１は、高性能ディスパッチサービスを有するシステムを実現する通信ネットワークの１つの実施形態を図示している。
【図２】図２は、ワイヤレスハンドセットの１つの実施形態のブロック図を図示している。
【図３】図３は、ＰＴＴ通信プロセス中のサーバとワイヤレスデバイスとの間の命令を表している図である。
【図４】図４は、ワイヤレスデバイスの内部状態の移行を図示している先行技術の例示的な図である。
【図５】図５は、状態移行、およびワイヤレスデバイスとネットワークサーバとの間の対応するシグナリングを図示している先行技術の図である。
【図６】図６は、本発明にしたがった、状態移行およびワイヤレスデバイスとネットワークサーバとの間の対応するシグナリングを図示している図である。
【図７】図７は、ワイヤレスデバイスのデータ送信プロセス１つの実施形態を図示しているフローチャートである。
【図８】図８は、サーバのメッセージングプロセスの１つの実施形態を図示しているフローチャートである。
【図９】図９は、ワイヤレスデバイスのメッセージの受信プロセスを１つの実施形態を図示しているフローチャートである。
【図１】
2008535405.tif 000003
【図２】
2008535405.tif 000004
【図３】
2008535405.tif 000005
【図４】
2008535405.tif 000006
【図５】
2008535405.tif 000007
【図６】
2008535405.tif 000008
【図７】
2008535405.tif 000009
【図８】
2008535405.tif 000010
【図９】
2008535405.tif 000011
【国際調査報告】
2008535405.tif 000012